(57)【要約】【課題】医用画像装置が有する主要でない情報について当該医用画像装置以外の装置にも転送し共有することで、情報の有効利用を図ると共に操作者の負担軽減、診断精度の向上等を図ることができる医用画像装置を提供する。【解決手段】医用画像を収集する手段と、前記医用画像の収集に係わる補助的な情報を少なくとも一時的に保持する保持手段と、この保持手段により保持された前記補助的な情報の少なくとも一部を少なくとも１の他の装置に送信する送信手段とを具備することを特徴とする。【選択図】  図２
2004258833.tif 000002
【特許請求の範囲】
【請求項１】
医用画像を収集する手段と、
前記医用画像の収集に係わる補助的な情報を少なくとも一時的に保持する保持手段と、
この保持手段により保持された前記補助的な情報の少なくとも一部を少なくとも１の他の装置に送信する送信手段と
を具備することを特徴とする医用画像装置。
【請求項２】
前記他の装置は前記医用画像の収集に係わる会計のための会計システムに用いられる装置であることを特徴とする請求項１に記載の医用画像装置。
【請求項３】
前記他の装置は前記医用画像に対する診断レポートを作成するレポート作成システムに用いられる装置であることを特徴とする請求項１に記載の医用画像装置。
【請求項４】
前記補助的な情報は前記医用画像の収集により結果として使用された物に係わる時間的情報を含むことを特徴とする請求項１に記載の医用画像装置。
【請求項５】
前記補助的な情報は前記医用画像の収集により結果として使用された物を特定する情報を含むことを特徴とする請求項１に記載の医用画像装置。
【請求項６】
前記補助的な情報は前記医用画像の収集により結果として使用された物に関する情報を含むことを特徴とする請求項１に記載の医用画像装置。
【請求項７】
前記他の装置は前記医用画像の収集により結果として使用された物を管理する在庫管理システムに用いられる装置であることを特徴とする請求項６に記載の医用画像装置。
【請求項８】
前記物に関する情報はその物を識別する情報、その物の長さ、及びその物の数量のうち少なくとも１つを含むことを特徴とする請求項６に記載の医用画像装置。
【請求項９】
前記物が造影剤インジェクタであるとき、前記物に関する情報は造影剤に関する情報であることを特徴とする請求項６に記載の医用画像装置。
【請求項１０】
前記造影剤に関する情報は造影剤識別情報、造影剤注入総量、造影剤注入時間、及び造影剤の単位時間当りの注入スピードのうち少なくとも１つを含むことを特徴とする請求項９に記載の医用画像装置。
【請求項１１】
前記物に関する情報はカテーテルに関する情報であることを特徴とする請求項６に記載の医用画像装置。
【請求項１２】
前記カテーテルに関する情報はカテーテル識別情報、カテーテルの太さ、及びカテーテルの数量のうち少なくとも１つを含むことを特徴とする請求項１１に記載の医用画像装置。
【請求項１３】
前記物に関する情報は前記収集された医用画像の出力媒体に関する情報であることを特徴とする請求項６に記載の医用画像装置。
【請求項１４】
前記出力媒体が電子保存媒体のとき、前記出力媒体に関する情報は前記電子保存媒体の識別情報及び数量のうち少なくとも一方を含むことを特徴とする請求項１３に記載の医用画像装置。
【請求項１５】
前記出力媒体がフィルムのとき、前記出力媒体に関する情報は前記フィルムの識別情報及び数量のうち少なくとも一方を含むことを特徴とする請求項１３に記載の医用画像装置。
【請求項１６】
医用画像を収集する医用画像装置において、
前記医用画像の収集に係わる補助的な情報を少なくとも一時的に保持し、
保持された前記補助的な情報の少なくとも一部を少なくとも１の他の装置に送信する
ことを特徴とする医用画像装置の情報送信方法。
【発明の詳細な説明】
【０００１】
【発明の属する技術分野】
本発明は他の装置に情報送信可能な医用画像装置及びその情報送信方法に関する。
【０００２】
【従来の技術】
近年、Ｘ線診断装置を初め医用画像を得ることを可能とする各種画像診断装置を代表とする医用画像装置においては、その機能の向上と共に各種設定条件や取扱い情報等も多様化し、その扱う情報は増加する傾向にある。
【０００３】
このように多種多様化した情報の取扱いを容易にする方法として、例えば、一連の検査に必要な設定項目を一まとめにしたデータセットを検査プロトコルとして保存し、操作者は複数の検査プロトコルからの選択により選択プロトコルに定められた設定条件に従って作業を進めれば良いというものが知られている（例えば、特許文献１参照）。
【０００４】
また、造影剤を用いた場合の検査において、造影剤を注入するインジェクタと画像診断装置を通信回線で接続し、画像診断装置からインジェクタに造影条件を転送することで、インジェクタでの造影条件設定の負担を軽減するものが知られている（例えば、特許文献２参照）。
【０００５】
さらに、情報の転用の例として、注射薬品の在庫管理の精度を上げるために、注射薬調剤制御システムと連動させて注射データを利用することも知られている（例えば、特許文献３参照）。
【０００６】
これらの例に示されるように、多種多様化した種々の情報をいかに有効にかつ容易に扱うかということが従来から考えられている。
【０００７】
医用業界にあっては、近年、医用画像装置にかかる多種多様な情報をもっと広範囲に生かそうということで、これらの情報の一部を画像管理システム（以下、ＰＡＣＳ：Ｐｉｃｔｕｒｅ  Ａｒｃｈｉｖｉｎｇ  ａｎｄ  Ｃｏｍｍｕｎｉｃａｔｉｏｎｓ  Ｓｙｓｔｅｍと称す）においては例えばＤＩＣＯＭ（Ｄｉｇｉｔａｌ  Ｉｍａｇｉｎｇ  ａｎｄ  Ｃｏｍｍｕｎｉｃａｔｉｏｎｓ  ｆｏｒ  Ｍｅｄｉｃｉｎｅ）のような規格により、画像診断装置、画像保管サーバ、画像表示装置などの間において転送、利用することが行われている。さらに、ＰＡＣＳと画像診断結果としての所見を作成するレポートシステムとの接続、さらには病院情報システムとの接続なども行われるようになってきている。
【０００８】
このように、病院における各システムあるいは各装置を互いにネットワークで結んだ電子化情報の授受は、大病院を中心として徐々に普及しつつある。
【０００９】
【特許文献１】
特開２００１−１４９３５４号公報  （例えば、第３頁）
【特許文献２】
特開２００２−１７７２５２号公報  （例えば、特許請求の範囲）
【特許文献３】
特開２００１−３５０８４２号公報  （例えば、第２頁）
【００１０】
【発明が解決しようとする課題】
しかしながら、上記従来技術で扱われる情報は主要情報であり、検査進行に必要となるデータ（例えば特許文献１の場合）、インジェクタでの設定に必要な情報（例えば特許文献２の場合）、システム連動したデータ転送（例えば特許文献３の場合）、或いはＤＩＣＯＭ等の規格に定められた取扱データなどである。
【００１１】
一方、医用画像装置においては外部に転送することのない多くの情報を有している。これらの情報の中には検査中の情報のみならず検査終了後一定時間を経過してから生じるものもある。これらの情報は従来において授受されてきた情報と比べると軽視されがちであり、医用画像装置以外の装置において必要とする場合は操作者が手入力を行うなどして対応していた。
【００１２】
このように操作者の入力に頼ることにより、入力漏れが生じる恐れがあり、また、必要に応じて手入力を行うことは操作者にとって非常に煩わしいものであり、一方では入力ミスを犯してしまう恐れもあった。さらに、これらの情報は主要でないだけに操作者が入力をする際に情報自体を容易に入手できないという可能性もあり、作業効率が下がってしまうこともあった。
【００１３】
さらに、操作者に頼った入力による場合、医用画像装置における検査と主要でない情報との間に時間的関係が得られない、あるいは入力漏れも含めた無視又は軽視ということが有り得た。また、誤入力や不注意な入力により、その後の利用に基づく種々の判断等に大きな影響を与えてしまうこともあった。また、これらの情報が保険点数に係わる場合など、正確性と迅速性が求められるにもかかわらず、操作者が迅速に対応できない場合は遅滞が生じてしまい、会計作業に影響が出てしまうこともあった。
【００１４】
本発明は上記問題に鑑みてなされたものであり、従来、医用画像装置が有する主要でない情報についても当該医用画像装置以外の装置に転送し共有することで、情報の有効利用を図ると共に操作者の負担軽減、診断精度の向上を図ることができる医用画像装置を提供することを目的とする。
【００１５】
【課題を解決するための手段】
上記目的を達成するために請求項１記載の本発明の医用画像装置は、医用画像を収集する手段と、前記医用画像の収集に係わる補助的な情報を少なくとも一時的に保持する保持手段と、この保持手段により保持された前記補助的な情報の少なくとも一部を少なくとも１の他の装置に送信する送信手段とを具備することを特徴とする。
【００１６】
また、上記目的を達成するために請求項１６記載の本発明の医用画像装置の情報送信方法は、医用画像を収集する医用画像装置において、前記医用画像の収集に係わる補助的な情報を少なくとも一時的に保持し、保持された前記補助的な情報の少なくとも一部を少なくとも１の他の装置に送信することを特徴とする。
【００１７】
このような本発明によれば、医用画像装置が有する補助的な情報を他の装置が共有することが可能となり、当該他の装置において正しい情報に基づく情報処理が可能となる。
【００１８】
【発明の実施の形態】
以下、図面を参照して本発明の実施の形態を説明する。
【００１９】
図１は本発明に係る医用システムの概略構成を示すブロック図である。本医用システムは、病院情報システム（以下、ＨＩＳ：Ｈｏｓｐｉｔａｌ  Ｉｎｆｏｒｍａｔｉｏｎ  Ｓｙｓｔｅｍｓと称す）１０、Ｘ線診断装置１１、Ｘ線ＣＴ装置１２、ＭＲＩ装置１３、画像サーバ１４、ワークステーション▲１▼乃至▲３▼１５，１６，１７、レポートシステム１８、および上記各装置を接続するネットワーク１９から構成される。前記ＨＩＳ１０は少なくとも会計システム１０１と在庫管理システム１０２を含む構成となっている。
【００２０】
Ｘ線診断装置１１、Ｘ線ＣＴ装置１２、ＭＲＩ装置１３はいずれも医用画像装置に相当するものであり、本医用システムの構成として例示的に示すものである。本発明に係る医用画像装置は上記の他にも核医学装置、超音波診断装置、内視鏡装置、等、医用画像を発生するものであれば特に限定するものではない。なお、後述する本発明の各実施の形態においては、一例としてＸ線診断装置の場合を例にとって説明する。
【００２１】
画像サーバ１４はこれらＸ線診断装置１１、Ｘ線ＣＴ装置１２、ＭＲＩ装置１３でそれぞれ発生した（得られた）画像を保管するものである。ワークステーション▲１▼１５、ワークステーション▲２▼１６、ワークステーション▲３▼１７はそれぞれ前記画像サーバ１４に保管された各種画像を表示、観察するためのものである。例えばワークステーション▲１▼１５はＸ線診断装置１１で発生した画像の表示・観察、ワークステーション▲２▼１６はＸ線ＣＴ装置１２で発生した画像の表示・観察、そしてワークステーション▲３▼１７はＭＲＩ装置１３で発生した画像の表示・観察をするようそれぞれ使い分けてもよい。これら画像サーバ１４及びワークステーション▲１▼乃至▲３▼１５，１６，１７は（ここでは前記Ｘ線診断装置１１、Ｘ線ＣＴ装置１２、ＭＲＩ装置１３を含まないものとする）ＰＡＣＳを構成している。
【００２２】
また、レポートシステム１８はワークステーション▲１▼１５、ワークステーション▲２▼１６、又はワークステーション▲３▼１７において画像観察（読影）された結果についてレポート（所見）を作成・保管するものである。レポート作成は専用のレポート作成端末等のレポート入力画面において作成されるが、このレポート作成においては、検査におけるレポートそのものを記すのみでなく、必要に応じて、例えばＰＡＣＳ側から検査画像の一部を取り込み所見に添付したり、書誌的事項や所見作成に参考となる情報などをＸ線診断装置１１、Ｘ線ＣＴ装置１２、ＭＲＩ装置１３、乃至はＰＡＣＳ側やＨＩＳ１０、さらには図示しない検査予約システムや受付システムなどから取り込むことが行われる。作成されたレポートはレポート専用に設けられたサーバなどに保管されることになる。
【００２３】
ＨＩＳ１０は会計システム１０１や在庫管理システム１０２の他にも病院業務の効率化や経営的な面まで広く種々の病院関連情報を扱い得るものである。
【００２４】
会計システム１０１は当該システムが設置されている病院内などにおける患者が受けた検査や診察の費用について取り扱うシステムである。費用算出にあたってはＸ線診断装置１１、Ｘ線ＣＴ装置１２、ＭＲＩ装置１３等による検査情報や、診察室における医師からの入力情報（図示しない診察室に設けられたワークステーションからの入力情報）等に基づいて保険点数の計算が行われる。
【００２５】
また、在庫管理システム１０２はＸ線診断装置１１やＸ線ＣＴ装置１２、ＭＲＩ装置１３による検査等における画像収集にて消費される部材（例えば、造影剤、Ｘ線フィルム、ＣＤ−ＲやＤＶＤ−Ｒ等のディスク類、等）の在庫について管理するものである。本発明の実施の形態において、前記画像収集にて消費される部材とは、当該画像収集（例えば検査中）に直接使用される物又は当該画像収集の事後（例えば検査後：終了直後のみならず一定時間経過後も含む）において使用される物を指し、いずれの場合も「医用画像の収集により結果として使用された物」と定義されるものである。なお、本発明の実施の形態においては、在庫管理システム１０２において管理される情報として、前記画像収集に係わる補助的な情報（詳細は後述）をも含むものとする。
【００２６】
図１において会計システム１０１及び在庫管理システム１０２はＨＩＳ１０の一部として記載されているが、これら会計システム１０１や在庫管理システム１０２はＨＩＳ１０から全く独立したシステムであってもよいことはいうまでもない。
【００２７】
以上の各構成要素は病院内のＬＡＮ（Ｌｏｃａｌ  Ａｒｅａ  Ｎｅｔｗｏｒｋ）等のネットワーク１９を介して互いに又は個別に接続される。
（第１の実施の形態）
図２は本発明の第１の実施の形態に係るＸ線診断装置等の構成を示すブロック図である。本実施の形態では本発明のＸ線診断装置が会計システムに対して情報転送する場合について説明する。
【００２８】
同図に示すように、Ｘ線診断装置１１はＸ線を発生するＸ線管２０１、検査を受ける患者等（以下、被検体と称す）が寝るための寝台２０２、被検体を透過したＸ線を可視光線に変換するイメージインテンシファイア（以下、Ｉ．Ｉ．と称す）２０３、可視光線を電気信号に変換するＴＶカメラ２０４、Ｘ線管２０１とＩ．Ｉ．２０３（及びＴＶカメラ２０４）とを寝台２０２を挟んで対向する位置に保持するアーム２０５、アーム２０５を駆動するアーム駆動装置２０６、アナログ信号をデジタル信号に変換するアナログ／デジタル変換器（以下、Ａ／Ｄ変換器と称す）２０７、変換されたデジタル信号を記憶する画像メモリ２０８、造影画像等を用いてサブトラクション処理を行う減算処理装置２０９、デジタル信号をアナログ信号に変換するデジタル／アナログ変換器（以下、Ｄ／Ａ変換器と称す）２１０、収集画像の観察／確認等のために画像等を表示するモニタ２１１、Ｘ線診断装置１１の各部を制御する中央処理装置（以下、ＣＰＵと称す）２１２、各種の入力や出力の指示のための入出力装置２１３、検査用設定データを格納するデータベース２１４、インジェクタ用インターフェース（以下、インジェクタ用Ｉ／Ｆと称す）２１５、造影剤注入のためのインジェクタ２１６、及びＸ線診断装置１１の外部に設けられた装置とＸ線診断装置１１との接続ための外部インターフェース（以下、外部Ｉ／Ｆと称す）２１７を有している。
【００２９】
Ｘ線診断装置１１は外部Ｉ／Ｆ２１７によりネットワーク１９を介して会計システム１０１と接続されている。
【００３０】
次に上記構成によるＸ線診断装置１１の動作について説明する。まず、画像収集にあたりデータベース２１４に格納された検査用設定データに基づいて造影剤の使用量、注入時間、及び注入速度、等についての情報がインジェクタ用Ｉ／Ｆ２１５を介してインジェクタ２１６に送られる。インジェクタ２１６では当該受信情報を下に設定された条件で被検体に対して造影剤の注入が行われる。
【００３１】
一方、インジェクタ２１６によって造影剤が注入された被検体は寝台２０２に乗った状態で、Ｘ線照射される。Ｘ線照射においては、Ｘ線管２０１によりＸ線が発生される。この発生されたＸ線は被検体を透過した後、透過Ｘ線としてＩ．Ｉ．２０３及びＴＶカメラ２０４により検出される（電気信号として取り出される）。検出された信号はＡ／Ｄ変換器２０７でデジタル信号に変換された後、画像メモリ２０８に記憶される。画像メモリ２０８には例えば前回撮影分の画像を記憶しておき、減算処理装置２０９では異なる条件で撮影された画像を用いて画像間の減算（引き算／サブトラクション）処理が行われる。減算処理が行われた画像はＤ／Ａ変換器２１０により再びアナログ信号に変換され、モニタ２１１に表示される。
【００３２】
このようにして被検体について当該検査における所定枚数の画像が収集されると、当該画像収集においてインジェクタ２１６により使用された造影剤の名称等（造影剤識別情報）、造影剤の注入総量、造影剤の注入時間、及び造影剤の注入速度（単位時間当りの注入スピード）のうちの１つ以上について、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００３３】
ここで上記各情報はデータベース２１４から取り出された検査用設定データに基づいてもよいし、インジェクタ２１６が前記送信のための情報を有する場合は当該インジェクタ２１６の情報を利用してもよい。データベース２１４の検査用設定データを用いる場合は、実際の造影剤の使用にあたっては当該データに基づいて行われたとの前提の下に情報送信することになる（インジェクタ２１６から直接に情報を得られない場合もこの手段を用いることになる）。一方、インジェクタ２１６が前記送信情報を有する場合、特に、前記検査用設定データに基づいて実際に行われた（使用された）造影剤について各情報を有する場合、これらの情報は（インジェクタ２１６が出力する機能を有する限りにおいて）インジェクタ用Ｉ／Ｆ２１５を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、インジェクタ用Ｉ／Ｆ２１５を介して得られる情報は必ずしもＣＰＵ２１２を介する必要はなく、インジェクタ用Ｉ／Ｆ２１５を介して直接、データベース２１４での保持や外部Ｉ／Ｆ２１７への送信が行われるようにしてもよい。このようにして、実際に行われた（使用された）造影剤についての各情報を外部装置に送信することが可能になる。
【００３４】
いずれの場合も、前記画像収集の際にインジェクタ２１６で使用された（或いは使用されたはずである）造影剤についての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は会計システム１０１にて受信される。
【００３５】
会計システム１０１では当該情報をＸ線診断装置１１から受け取るとその受信情報が会計システム１０１のデータベースに自動的に仮登録される。当該画像収集に係る検査の終了後、会計システムの入力装置を用いて操作者（医療従事者等）が仮登録の内容を確認することにより問題なければ確定の入力がなされる。これにより、当該検査においてインジェクタ２１６により使用された造影剤に係る情報（造影剤の名称等（造影剤識別情報）、造影剤の注入総量、造影剤の注入時間、及び造影剤の注入速度（単位時間当りの注入スピード）のうちの１つ以上）が会計システム１０１にて登録される。
【００３６】
会計システム１０１における保険点数の計算においては、造影剤の名称等（造影剤識別情報）、造影剤の注入総量、造影剤の注入時間、及び造影剤の注入速度（単位時間当りの注入スピード）等の情報、すなわち、通常では電子的情報転送の対象とならず会計システムにおける操作者の入力に頼っていたような医用画像収集における補助的な情報（主要情報として電子情報の授受の対象とならない情報）、も自動的にＸ線診断装置１１から得られるので、従来のような手入力に頼ったことによる計算ミスや計算漏れなどを起こすことを防ぎ、会計精度の向上と操作者の負担を軽減することが可能となる。
【００３７】
なお、上述のインジェクタ２１６に係る情報はＸ線診断装置１１から直接会計システム１０１に対して送信されてもよいし、他の装置を経由して送信されるようにしてもよい。
（第２の実施の形態）
図３は本発明の第２の実施の形態に係るＸ線診断装置等の構成を示すブロック図である。図２を用いて説明した本発明の第１の実施の形態はインジェクタに係る情報の取扱いについて説明したが、本実施の形態ではＸ線フィルム出力をするための自動現像装置に係る情報の取扱いについて説明する。なお、図３において図２と重複する構成については同じ番号を付し、構成説明は省略する。
【００３８】
図３に示すように、Ｘ線診断装置１１ａは図２のインジェクタ用Ｉ／Ｆ２１５及びインジェクタ２１６に代えて、自動現像装置用インターフェース（以下、自動現像装置用Ｉ／Ｆと称す）２１８及び画像情報のＸ線フィルム出力のための自動現像装置２１９を有している。
【００３９】
第２の実施の形態に係るＸ線診断装置１１ａの動作について説明する。まず、図示しないインジェクタにより被検体に対して造影剤の注入が行われる。
【００４０】
造影剤が注入された被検体は寝台２０２に乗った状態で、Ｘ線照射される。Ｘ線照射においては、Ｘ線管２０１によりＸ線が発生される。この発生されたＸ線は被検体を透過した後、透過Ｘ線としてＩ．Ｉ．２０３及びＴＶカメラ２０４により検出される（電気信号として取り出される）。検出された信号はＡ／Ｄ変換器２０７でデジタル信号に変換された後、画像メモリ２０８に記憶される。画像メモリ２０８には例えば前回撮影分の画像を記憶しておき、減算処理装置２０９では異なる条件で撮影された画像を用いて画像間の減算（引き算／サブトラクション）処理が行われる。減算処理が行われた画像はＤ／Ａ変換器２１０により再びアナログ信号に変換され、モニタ２１１に表示される。
【００４１】
ところで、このモニタ２１１での表示による画像確認／観察とは別に、収集された画像についてはＸ線フィルムに出力することが可能である。ＣＰＵ２１２は検査用設定データが格納されたデータベース２１４からフィルミング設定情報を取得すると、このフィルミング設定情報は自動現像装置用Ｉ／Ｆ２１８を介して自動現像装置２１９に送られる。自動現像装置２１９では当該受信情報を基に設定された条件でＸ線フィルム出力が行われる。
【００４２】
Ｘ線フィルム出力が行われると、当該Ｘ線フィルム出力に係る情報、例えばＸ線フィルム出力に当たって使用されたＸ線フィルムのサイズ（Ｘ線フィルムの種類）などのＸ線フィルム識別情報やそのＸ線フィルムの枚数の少なくともどちらかについて、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００４３】
ここで上記Ｘ線フィルム出力に係る情報はデータベース２１４から取り出された検査用設定データ（フィルミング設定情報）に基づいてもよいし、自動現像装置２１９が前記送信のための情報を有する場合は当該自動現像装置２１９の情報を利用してもよい。データベース２１４の検査用設定データを用いる場合は、実際のＸ線フィルム出力にあたっては当該データに基づいて行われたとの前提の下に情報送信することになる（自動現像装置２１９から直接に情報を得られない場合もこの手段を用いることになる）。一方、自動現像装置２１９が前記送信情報を有する場合、特に、前記検査用設定データ（フィルミング設定情報）に基づいて実際に行われたＸ線フィルム出力について各情報を有する場合、これらの情報は（自動現像装置２１９が出力する機能を有する限りにおいて）自動現像装置用Ｉ／Ｆ２１８を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、自動現像装置用Ｉ／Ｆ２１８を介して得られる情報は必ずしもＣＰＵ２１２を介する必要はなく、自動現像装置用Ｉ／Ｆ２１８を介して直接、データベース２１４での保持や外部Ｉ／Ｆ２１７への送信が行われるようにしてもよい。このようにして、実際に行われたＸ線フィルム出力についての各情報を外部装置に送信することが可能になる。
【００４４】
いずれの場合も、前記Ｘ線フィルム出力の際に自動現像装置２１９で使用された（或いは使用されたはずである）Ｘ線フィルムについての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は会計システム１０１にて受信される。
【００４５】
会計システム１０１では当該情報をＸ線診断装置１１ａから受け取るとその受信情報が会計システム１０１のデータベースに自動的に仮登録される。当該画像収集に係る検査の終了後、会計システムの入力装置を用いて操作者（医療従事者等）が仮登録の内容を確認することにより問題なければ確定の入力がなされる。これにより、当該検査において自動現像装置２１９により使用されたＸ線フィルムに係る情報（Ｘ線フィルムのサイズ等（Ｘ線フィルム識別情報）及びＸ線フィルム枚数のうちの少なくとも一方）が会計システム１０１にて登録される。
【００４６】
会計システム１０１における保険点数の計算においては、Ｘ線フィルムのサイズ等（Ｘ線フィルム識別情報）及びＸ線フィルム枚数等の情報、すなわち、通常では電子的情報転送の対象とならず会計システムにおける操作者の入力に頼っていたような医用画像収集における補助的な情報（主要情報として電子情報の授受の対象とならない情報）、も自動的にＸ線診断装置１１ａから得られるので、従来のような手入力に頼ったことによる計算ミスや計算漏れなどを起こすことを防ぎ、会計精度の向上と操作者の負担を軽減することが可能となる。
【００４７】
なお、上述の自動現像装置２１９に係る情報（Ｘ線フィルム（出力）に係る情報）はＸ線診断装置１１ａから直接会計システム１０１に対して送信されてもよいし、他の装置を経由して送信されるようにしてもよい。
（第３の実施の形態）
次に図４は本発明の第３の実施の形態に係るＸ線診断装置等の構成を示すブロック図である。図２を用いて説明した本発明の第１の実施の形態はインジェクタに係る情報の取扱いについて説明したが、本実施の形態では画像情報を記録するための電子記録媒体に係る情報の取扱いについて説明する。なお、図４において図２と重複する構成については同じ番号を付し、構成説明は省略する。
【００４８】
図４に示すように、Ｘ線診断装置１１ｂは図２のインジェクタ用Ｉ／Ｆ２１５及びインジェクタ２１６に代えて、ディスクドライブ２２０及び画像情報の電子保存のための電子記録媒体（例えばＣＤ−ＲやＤＶＤ−Ｒ、ＤＶＤ−ＲＡＭ、等）（以下、ディスクと称す）２２１を有している。ディスク２２１はディスクドライブ２２０に対して着脱可能であってもよい。
【００４９】
第３の実施の形態に係るＸ線診断装置１１ｂの動作について説明する。まず、図示しないインジェクタにより被検体に対して造影剤の注入が行われる。
【００５０】
造影剤が注入された被検体は寝台２０２に乗った状態で、Ｘ線照射される。Ｘ線照射においては、Ｘ線管２０１によりＸ線が発生される。この発生されたＸ線は被検体を透過した後、透過Ｘ線としてＩ．Ｉ．２０３及びＴＶカメラ２０４により検出される（電気信号として取り出される）。検出された信号はＡ／Ｄ変換器２０７でデジタル信号に変換された後、画像メモリ２０８に記憶される。画像メモリ２０８には例えば前回撮影分の画像を記憶しておき、減算処理装置２０９では異なる条件で撮影された画像を用いて画像間の減算（引き算／サブトラクション）処理が行われる。減算処理が行われた画像はＤ／Ａ変換器２１０により再びアナログ信号に変換され、モニタ２１１に表示される。
【００５１】
ところで、このモニタ２１１での表示による画像確認／観察とは別に、収集された画像についてはディスク２２１に記録（出力）することが可能である。収集された画像はディスク２２１を駆動するためのディスクドライブ２２０を介してディスク２２１に送られ、所定の情報と共に記録される。
【００５２】
ディスク記録が行われると、当該ディスク記録に係る情報、例えば当該ディスク２２１の種類及びその他の情報（ディスクの識別情報）並びに数量のうちの１つ以上について、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００５３】
ここで上記ディスク記録に係る情報はデータベース２１４から取り出された検査用設定データに基づいてもよいし、ディスクドライブ２２０を介して得られた情報を利用してもよい。データベース２１４の検査用設定データを用いる場合は、実際のディスク記録にあたっては当該データに基づいて行われたとの前提の下に情報送信することになる（ディスクドライブ２２０を介して情報を得られない場合もこの手段を用いることになる）。一方、装着されたディスク２２１のディスク情報をディスクドライブ２２０が読み取ることによりディスク記録に係る情報が得られる場合、すなわち、実際に行われたディスク記録について各情報が得られる場合、これらの情報はディスクドライブ２２０の情報をＣＰＵ２１２が読み取ることにより得られる。ＣＰＵ２１２により読み取られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、ディスクドライブ２２０を介して得られる情報は必ずしもＣＰＵ２１２を介する必要はなく、ディスクドライブ２２０を介して直接、データベース２１４での保持や外部Ｉ／Ｆ２１７への送信が行われるようにしてもよい。このようにして、実際に行われたディスク記録についての各情報を外部装置に送信することが可能になる。
【００５４】
いずれの場合も、前記ディスク記録に係るディスク２２１についての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は会計システム１０１にて受信される。
【００５５】
会計システム１０１では当該情報をＸ線診断装置１１ｂから受け取るとその受信情報が会計システム１０１のデータベースに自動的に仮登録される。当該画像収集に係る検査の終了後、会計システムの入力装置を用いて操作者（医療従事者等）が仮登録の内容を確認することにより問題なければ確定の入力がなされる。これにより、当該検査において画像情報が記録されたディスク２２１に係る情報（ディスク２２１の種類及びその他の情報（ディスク２２１の識別情報）並びに数量）が会計システム１０１にて登録される。
【００５６】
会計システム１０１における保険点数の計算においては、ディスク２２１の種類及びその他の情報（ディスク２２１の識別情報）並びに数量等の情報、すなわち、通常では電子的情報転送の対象とならず会計システムにおける操作者の入力に頼っていたような医用画像収集における補助的な情報（主要情報として電子情報の授受の対象とならない情報）、も自動的にＸ線診断装置１１ｂから得られるので、従来のような手入力に頼ったことによる計算ミスや計算漏れなどを起こすことを防ぎ、会計精度の向上と操作者の負担を軽減することが可能となる。
【００５７】
なお、上述のディスク２２１に係る情報はＸ線診断装置１１ｂから直接会計システム１０１に対して送信されてもよいし、他の装置を経由して送信されるようにしてもよい。
（第４の実施の形態）
上述した本発明の第１の実施の形態から第３の実施の形態まではＸ線診断装置に係わる補助的な情報の送信先（外部装置）が会計システムに対する場合についてであった。本発明の第４の実施の形態においては前記第１の実施の形態の場合におけるＸ線診断装置の構成の場合において在庫管理システムに対してＸ線診断装置に係わる補助的な情報を送信する場合について説明する。
【００５８】
図５は本発明の第４の実施の形態に係るＸ線診断装置等の構成を示すブロック図である。同図において本発明の第１の実施の形態に係る図２と重複する構成については同じ番号を付し、構成説明は省略する。
【００５９】
図５に示すように、Ｘ線診断装置１１ｃは図２に示すＸ線診断装置１１と全く同じ構成となっている。本実施の形態において、Ｘ線診断装置１１ｃはネットワーク１９を介して在庫管理システム１０２と接続されている。
【００６０】
Ｘ線診断装置１１ｃにおいて、所定の検査における画像が収集されると、当該画像収集においてインジェクタ２１６により使用された造影剤の名称等（造影剤識別情報）、造影剤の注入総量、造影剤の注入時間、及び造影剤の注入速度（単位時間当りの注入スピード）のうちの１つ以上について、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００６１】
ここで上記各情報はデータベース２１４から取り出された検査用設定データに基づいてもよいし、インジェクタ２１６が前記送信のための情報を有する場合は当該インジェクタ２１６の情報を利用してもよい。データベース２１４の検査用設定データを用いる場合は、実際の造影剤の使用にあたっては当該データに基づいて行われたとの前提の下に情報送信することになる（インジェクタ２１６から直接に情報を得られない場合もこの手段を用いることになる）。一方、インジェクタ２１６が前記送信情報を有する場合、特に、前記検査用設定データに基づいて実際に行われた（使用された）造影剤について各情報を有する場合、これらの情報は（インジェクタ２１６が出力する機能を有する限りにおいて）インジェクタ用Ｉ／Ｆ２１５を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、インジェクタ用Ｉ／Ｆ２１５を介して得られる情報は必ずしもＣＰＵ２１２を介する必要はなく、インジェクタ用Ｉ／Ｆ２１５を介して直接、データベース２１４での保持や外部Ｉ／Ｆ２１７への送信が行われるようにしてもよい。このようにして、実際に行われた（使用された）造影剤についての各情報を外部装置に送信することが可能になる。
【００６２】
いずれの場合も、前記画像収集の際にインジェクタ２１６で使用された（或いは使用されたはずである）造影剤についての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は在庫管理システム１０２にて受信される。
【００６３】
在庫管理システム１０２では当該情報をＸ線診断装置１１ｃから受け取るとその受信情報が在庫管理システム１０２のデータベースに自動的に登録される。この登録は仮登録としてもよく、その場合は例えば、在庫管理システム１０２の入力装置を用いて操作者が仮登録の内容を確認することにより問題なければ確定の入力がなされる。これにより、当該検査においてインジェクタ２１６により使用された造影剤に係る情報（造影剤の名称等（造影剤識別情報）、造影剤の注入総量、造影剤の注入時間、及び造影剤の注入速度（単位時間当りの注入スピード）のうちの１つ以上）が在庫管理システム１０２にて登録される。
【００６４】
在庫管理システム１０２においては、造影剤の名称等（造影剤識別情報）、造影剤の注入総量、造影剤の注入時間、及び造影剤の注入速度（単位時間当りの注入スピード）等の情報に基づいて、どの造影剤がどの程度使用され造影剤の在庫量としてどのような状況になっているか、またその状況に基づいて所定の造影剤についての補充の要否等が判断される。すなわち、通常では電子的情報転送の対象とならず、必要であればメモや書類或いはカルテ等の別途手段にて入手することにより在庫管理システム１０２における操作者の入力に頼っていたような医用画像収集における補助的な情報（主要情報として電子情報の授受の対象とならない情報）、も自動的にＸ線診断装置１１ｃから得られるので、従来のような手入力等に頼ったことによる誤入力や入力漏れなどを起こすことを防ぎ、在庫管理の精度向上と操作者の負担を軽減することが可能となる。
【００６５】
なお、上述のインジェクタ２１６に係る情報はＸ線診断装置１１ｃから直接在庫管理システム１０２に対して送信されてもよいし、他の装置を経由して送信されるようにしてもよい。
（第５の実施の形態）
図６は本発明の第５の実施の形態に係るＸ線診断装置等の構成を示すブロック図である。本発明の第５の実施の形態においては前記第２の実施の形態の場合におけるＸ線診断装置の構成の場合において在庫管理システムに対してＸ線診断装置に係わる補助的な情報を送信する場合について説明する。同図において本発明の第２の実施の形態に係る図３と重複する構成については同じ番号を付し、構成説明は省略する。
【００６６】
図６に示すように、Ｘ線診断装置１１ｄは図３に示すＸ線診断装置１１ａと全く同じ構成となっている。本実施の形態において、Ｘ線診断装置１１ｄはネットワーク１９を介して在庫管理システム１０２と接続されている。
【００６７】
Ｘ線診断装置１１ｄにおいて、所定の検査において収集された画像についてＸ線フィルム出力が行われると、当該Ｘ線フィルム出力に係る情報、例えばＸ線フィルム出力に当たって使用されたＸ線フィルムのサイズ（Ｘ線フィルムの種類）などのＸ線フィルム識別情報やそのＸ線フィルムの枚数の少なくともどちらかについて、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００６８】
ここで上記Ｘ線フィルム出力に係る情報はデータベース２１４から取り出された検査用設定データ（フィルミング設定情報）に基づいてもよいし、自動現像装置２１９が前記送信のための情報を有する場合は当該自動現像装置２１９の情報を利用してもよい。データベース２１４の検査用設定データを用いる場合は、実際のＸ線フィルム出力にあたっては当該データに基づいて行われたとの前提の下に情報送信することになる（自動現像装置２１９から直接に情報を得られない場合もこの手段を用いることになる）。一方、自動現像装置２１９が前記送信情報を有する場合、特に、前記検査用設定データ（フィルミング設定情報）に基づいて実際に行われたＸ線フィルム出力について各情報を有する場合、これらの情報は（自動現像装置２１９が出力する機能を有する限りにおいて）自動現像装置用Ｉ／Ｆ２１８を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、自動現像装置用Ｉ／Ｆ２１８を介して得られる情報は必ずしもＣＰＵ２１２を介する必要はなく、自動現像装置用Ｉ／Ｆ２１８を介して直接、データベース２１４での保持や外部Ｉ／Ｆ２１７への送信が行われるようにしてもよい。このようにして、実際に行われたＸ線フィルム出力（実際に使用されたフィルム）についての各情報を外部装置に送信することが可能になる。
【００６９】
なお、上記所定の検査において収集された画像についてのＸ線フィルム出力とは検査中や検査直後等に限らず検査終了後数時間或いは検査日から数日経た後であっても、その時点でＸ線フィルム出力の必要が生じた場合であればそのＸ線フィルム出力をも対象とするものである。このように検査終了から所定の時間が経過した後に実施されたＸ線フィルム出力に係るＸ線フィルムについても在庫管理システム１０２への送信対象とすることで、例えその実施が深夜等に行われたとしても確実に在庫管理システム１０２へ情報が通知されるので、より正確な在庫管理を可能とする。
【００７０】
さて、前記いずれの場合も、前記Ｘ線フィルム出力の際に自動現像装置２１９で使用された（或いは使用されたはずである）Ｘ線フィルムについての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は在庫管理システム１０２にて受信される。
【００７１】
在庫管理システム１０２では当該情報をＸ線診断装置１１ｄから受け取るとその受信情報が在庫管理システム１０２のデータベースに自動的に登録される。この登録は仮登録としてもよく、その場合は例えば、在庫管理システム１０２の入力装置を用いて操作者が仮登録の内容を確認することにより問題なければ確定の入力がなされる。これにより、当該検査において自動現像装置２１９により使用されたＸ線フィルムに係る情報（Ｘ線フィルムのサイズ等（Ｘ線フィルム識別情報）及びＸ線フィルム枚数のうちの少なくとも一方）が在庫管理システム１０２にて登録される。
【００７２】
在庫管理システム１０２においては、Ｘ線フィルムのサイズ等（Ｘ線フィルム識別情報）及びＸ線フィルム枚数等の情報に基づいて、どの（サイズの）Ｘ線フィルムがどの程度使用されＸ線フィルムの在庫量としてどのような状況になっているか、またその状況に基づいて所定のＸ線フィルムについての補充の要否等が判断される。すなわち、通常では電子的情報転送の対象とならず、必要であればメモや書類或いはカルテ等の別途手段にて入手することにより在庫管理システム１０２における操作者の入力に頼っていたような医用画像収集における補助的な情報（主要情報として電子情報の授受の対象とならない情報）、も自動的にＸ線診断装置１１ｄから得られるので、従来のような手入力等に頼ったことによる誤入力や入力漏れなどを起こすことを防ぎ、在庫管理の精度向上と操作者の負担を軽減することが可能となる。
【００７３】
なお、上述の自動現像装置２１９に係る情報はＸ線診断装置１１ｄから直接在庫管理システム１０２に対して送信されてもよいし、他の装置を経由して送信されるようにしてもよい。
（第６の実施の形態）
図７は本発明の第６の実施の形態に係るＸ線診断装置等の構成を示すブロック図である。本発明の第６の実施の形態においては前記第３の実施の形態の場合におけるＸ線診断装置の構成の場合において在庫管理システムに対してＸ線診断装置に係わる補助的な情報を送信する場合について説明する。同図において本発明の第３の実施の形態に係る図４と重複する構成については同じ番号を付し、構成説明は省略する。
【００７４】
図７に示すように、Ｘ線診断装置１１ｅは図４に示すＸ線診断装置１１ｂと全く同じ構成となっている。本実施の形態において、Ｘ線診断装置１１ｅはネットワーク１９を介して在庫管理システム１０２と接続されている。
【００７５】
Ｘ線診断装置１１ｅにおいて、所定の検査において収集された画像についてディスク記録が行われると、当該ディスク記録に係る情報、例えば当該ディスク２２１の種類及びその他の情報（ディスクの識別情報）並びに数量のうちの１つ以上について、被検体の識別情報（例えば患者ＩＤ）及び当該画像収集に係る検査識別情報（例えば検査ＩＤ）、さらに必要に応じて各画像の収集時刻を表す情報と共に、外部Ｉ／Ｆ２１７を介して外部に送信される。
【００７６】
ここで上記ディスク記録に係る情報はデータベース２１４から取り出された検査用設定データに基づいてもよいし、ディスクドライブ２２０を介して得られた情報を利用してもよい。データベース２１４の検査用設定データを用いる場合は、実際のディスク記録にあたっては当該データに基づいて行われたとの前提の下に情報送信することになる（ディスクドライブ２２０を介して情報を得られない場合もこの手段を用いることになる）。一方、装着されたディスク２２１のディスク情報をディスクドライブ２２０が読み取ることによりディスク記録に係る情報が得られる場合、すなわち、実際に行われたディスク記録について各情報が得られる場合、これらの情報はディスクドライブ２２０の情報をＣＰＵ２１２が読み取ることにより得られる。ＣＰＵ２１２により読み取られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、ディスクドライブ２２０を介して得られる情報は必ずしもＣＰＵ２１２を介する必要はなく、ディスクドライブ２２０を介して直接、データベース２１４での保持や外部Ｉ／Ｆ２１７への送信が行われるようにしてもよい。このようにして、実際に行われたディスク記録（実際に使用されたディスク２２１）についての各情報を外部装置に送信することが可能になる。
【００７７】
なお、上記所定の検査において収集された画像についてのディスク記録とは検査中や検査直後等に限らず検査終了後数時間或いは検査日から数日経た後であっても、その時点でディスク記録の必要が生じた場合であればそのディスク記録をも対象とするものである。このように検査終了から所定の時間が経過した後に実施されたディスク記録に係るディスク２２１についても在庫管理システム１０２への送信対象とすることで、例えその実施が深夜等に行われたとしても確実に在庫管理システム１０２へ情報が通知されるので、より正確な在庫管理を可能とする。
【００７８】
さて、上記いずれの場合も、前記ディスク記録に係るディスク２２１についての情報は、被検体の識別情報及び当該画像収集に係る検査識別情報、さらに各画像の収集時刻を表す情報等と共に、外部Ｉ／Ｆ２１７を介してネットワーク１９上に送信され、この送信情報は在庫管理システム１０２にて受信される。
【００７９】
在庫管理システム１０２では当該情報をＸ線診断装置１１ｅから受け取るとその受信情報が在庫管理システム１０２のデータベースに自動的に登録される。この登録は仮登録としてもよく、その場合は例えば、在庫管理システム１０２の入力装置を用いて操作者が仮登録の内容を確認することにより問題なければ確定の入力がなされる。これにより、当該検査において画像情報が記録されたディスク２２１に係る情報（ディスク２２１の種類及びその他の情報（ディスクの識別情報）並びに数量）が在庫管理システム１０２にて登録される。
【００８０】
在庫管理システム１０２においては、ディスク２２１の種類及びその他の情報（ディスク２２１の識別情報）並びに数量等の情報に基づいて、どのディスク２２１がどの程度使用されディスク２２１の在庫量としてどのような状況になっているか、またその状況に基づいて所定のディスク２２１についての補充の要否等が判断される。すなわち、通常では電子的情報転送の対象とならず、必要であればメモや書類或いはカルテ等の別途手段にて入手することにより在庫管理システム１０２における操作者の入力に頼っていたような医用画像収集における補助的な情報（主要情報として電子情報の授受の対象とならない情報）、も自動的にＸ線診断装置１１ｅから得られるので、従来のような手入力等に頼ったことによる誤入力や入力漏れなどを起こすことを防ぎ、在庫管理の精度向上と操作者の負担を軽減することが可能となる。
【００８１】
なお、上述のディスク２２１に係る情報はＸ線診断装置１１ｅから直接在庫管理システム１０２に対して送信されてもよいし、他の装置を経由して送信されるようにしてもよい。
（第７の実施の形態）
本発明の第７の実施の形態においては、カテーテルに係る情報を取扱う場合に当該情報をレポートシステムに対して送信する例について説明する。
【００８２】
図８は本発明の第７の実施の形態に係るＸ線診断装置等の構成を示すブロック図である。同図において本発明の第１の実施の形態に係る図２と重複する構成については同じ番号を付し、構成説明は省略する。
【００８３】
図８に示すように、Ｘ線診断装置１１ｆは図２のインジェクタ用Ｉ／Ｆ２１５及びインジェクタ２１６に代えて、カテーテル用インターフェース（以下、カテーテル用Ｉ／Ｆと称す）２２２及びカテーテル２２３を有している。さらに、医薬品用インターフェース（以下、医薬品用Ｉ／Ｆと称す）２２４及び医薬品２２５を有している。なお、Ｘ線診断装置１１ｆはネットワーク１９を介してレポートシステム１８と接続されている。
【００８４】
第７の実施の形態に係るＸ線診断装置１１ｆの動作について説明する。まず、図示しないインジェクタにより被検体に対して造影剤の注入が行われる。
【００８５】
造影剤が注入された被検体は寝台２０２に乗った状態で、Ｘ線照射される。Ｘ線照射においては、Ｘ線管２０１によりＸ線が発生される。この発生されたＸ線は被検体を透過した後、透過Ｘ線としてＩ．Ｉ．２０３及びＴＶカメラ２０４により検出される（電気信号として取り出される）。検出された信号はＡ／Ｄ変換器２０７でデジタル信号に変換された後、画像メモリ２０８に記憶される。画像メモリ２０８には例えば前回撮影分の画像を記憶しておき、減算処理装置２０９では異なる条件で撮影された画像を用いて画像間の減算（引き算／サブトラクション）処理が行われる。減算処理が行われた画像はＤ／Ａ変換器２１０により再びアナログ信号に変換され、モニタ２１１に表示される。
【００８６】
ところで、心臓等の循環器系の検査においては鼠径部等からカテーテル２２３を動脈に挿入して体内観察や治療を行う場合がある。また、その際、このカテーテル２２３を挿入した状態で前記Ｘ線照射による画像収集を行う場合もある。
【００８７】
カテーテル２２３を用いる場合、当該使用されるカテーテルについての情報、例えば、カテーテルの種類（識別情報）、そのチューブの直径（フレンチ）等のサイズ情報（カテーテルの太さ情報）、及びその本数のうちの１つ以上について、被検体の識別情報（例えば患者ＩＤ）及び当該画像収集に係る検査識別情報（例えば検査ＩＤ）、カテーテル２２３を使用した時刻（時間）情報、さらに必要に応じて各画像の収集時刻を表す情報と共に、外部Ｉ／Ｆ２１７を介して外部に送信される。
【００８８】
ここで上記カテーテル２２３に係る情報はデータベース２１４から取り出された検査用設定データに基づいてもよいし、カテーテル２２３自体が前記送信のための情報を有する場合は当該カテーテル２２３の情報を利用してもよい。データベース２１４の検査用設定データを用いる場合は、実際のカテーテル２２３の使用にあたっては当該データに基づいて行われたとの前提の下に情報送信することになる（カテーテル２２３から直接に情報を得られない場合もこの手段を用いることになる）。
【００８９】
データベース２１４には検査用設定データとして、一連の検査で使用する医用部材（カテーテル、その他のデバイスや機器、等）が検査プロトコルと関連づけて格納されている。図９はカテーテル名称テーブルの一例を示す図である。同図に示すように、このテーブルにはカテーテル毎に番号付し、各番号を与えられたカテーテルの名称とその使用単位が対応付けされている。また、図１０はデバイス名称テーブルの一例を示す図である。カテーテルの場合と同様に、このテーブルにはカテーテル以外に一連の検査で用いられるデバイスについて、そのデバイス毎に番号付けし、各番号を与えられたデバイスの名称とその使用単位が対応付けされている。そして、これらカテーテルの名称やデバイスの名称は後述する医薬品の名称と共に、各検査プロトコルに対応付けて記憶されている（図１１参照）。図１１に示すようなテーブルを持つことにより、実際の検査にあたっては、所定の検査プロトコルを選択すると、その検査プロトコルで使用すべき医薬品、カテーテル、及びデバイスの各名称が分かることになる。また、各名称に係る物の詳細は図９や図１０に示される情報により判断することが可能であり、検査オペレータはこれらの情報に従って検査を進行すればよいことになる。
【００９０】
前記外部Ｉ／Ｆ２１７を介して外部に送信されるカテーテル情報としてはこれらの情報が該当することになる。なお、上記各テーブルは必要に応じて適宜、追加、修正、又は削除をできるようにしてもよい。特に図１１に示す検査プロトコルと対応付けされたテーブルの内容については実際に実施した検査の内容に合わせて修正するようにすれば、正確な情報を外部装置に伝えることが可能となる。この場合、修正は当該プロトコルについてのテーブル内容の変更（全くの書き換え）としてもよいし、修正は一時的なものとし、当該修正内容を外部装置に対して送信した後は原則として当該修正前の内容を維持するようにしてもよい。
【００９１】
なお、通常、カテーテルの名称（カテーテルの識別情報）が分かれば当該カテーテルの仕様により、そのチューブ部分の直径が何フレンチであるか等のサイズ情報（カテーテルの太さ情報）等は得ることが可能であるが、予めこのような情報をデータベース２１４に格納しておくことで、このような情報も外部装置に送信するようにしてもよい。
【００９２】
さて一方、カテーテル２２３が前記送信情報を有する場合、特に、前記検査用設定データに基づいて実際に行われた検査に係る当該カテーテル２２３について各情報を有する場合、これらの情報は（カテーテル２２３が出力する機能を有する限りにおいて）カテーテル用Ｉ／Ｆ２２２を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、カテーテル用Ｉ／Ｆ２２２を介して得られる情報は必ずしもＣＰＵ２１２を介する必要はなく、カテーテル用Ｉ／Ｆ２２２を介して直接、データベース２１４での保持や外部Ｉ／Ｆ２１７への送信が行われるようにしてもよい。このようにして、実際に使用されたカテーテル２２３についての各情報を外部装置に送信することが可能になる。
【００９３】
いずれの場合も、使用された（或いは使用されたはずである）カテーテル２２３についての情報は、被検体の識別情報及び当該画像収集に係る検査識別情報、カテーテル２２３を使用した時刻（時間）情報、さらに各画像の収集時刻を表す情報等と共に、外部Ｉ／Ｆ２１７を介してネットワーク１９上に送信され、この送信情報はレポートシステム１８にて受信される。
【００９４】
ところで、カテーテル２２３に加えて、本実施の形態においては医薬品についても情報を扱う。
【００９５】
検査において画像収集する際、検査開始時や終了時、あるいは検査中など、必要に応じて医薬品を使用する場合が生じることがある。ＣＰＵ２１２は検査用設定データが格納されたデータベース２１４から医薬品設定情報を取得すると、この医薬品設定情報は医薬品用Ｉ／Ｆ２２４を介して医薬品２２５に送られる。医薬品２２５では当該受信情報を基に設定された条件で医薬品の使用が行われる。
【００９６】
例えば、医薬品用Ｉ／Ｆ２２４は造影剤のインジェクタのような機械に対するコントローラとして機能してもよい。医薬品（例えば、カテーテルを介して被検体の体内へ流される薬品）を被検体の体内に注入する前に、使用予定の医薬品の名称と注入量を決めておくことで、当該情報をＩ／Ｆ２２４を介して得ることにより、その医薬品と注入量が準備される（すなわち、注射器内に医薬品が満たされる）。
【００９７】
医薬品の使用が行われると、当該使用に係る医薬品の情報、例えば医薬品の種類（医薬品識別情報）やその使用量について、被検体の識別情報（例えば患者ＩＤ）及び当該画像収集に係る検査識別情報（例えば検査ＩＤ）、医薬品２２５を使用した時刻（時間）情報、さらに必要に応じて各画像の収集時刻を表す情報と共に、外部Ｉ／Ｆ２１７を介して外部に送信される。
【００９８】
ここで上記医薬品２２５に係る情報はデータベース２１４から取り出された検査用設定データに基づいてもよいし、医薬品２２５自体が前記送信のための情報を有する場合は当該医薬品２２５の情報を利用してもよい。データベース２１４の検査用設定データを用いる場合は、実際の医薬品２２５の使用にあたっては当該データに基づいて行われたとの前提の下に情報送信することになる（医薬品２２５から直接に情報を得られない場合もこの手段を用いることになる）。
【００９９】
データベース２１４には検査用設定データとして、一連の検査で使用する各種医薬品が検査プロトコルと関連づけて格納されている。図１２は医薬品名称テーブルの一例を示す図である。同図に示すように、このテーブルには医薬品毎に番号付し、各番号を与えられた医薬品の名称とその使用単位が対応付けされている。上述したように、この医薬品の名称は前記カテーテルの名称やデバイスの名称と共に、各検査プロトコルに対応付けて記憶されている（図１１参照）。図１１に示すようなテーブルを持つことにより、実際の検査にあたっては、所定の検査プロトコルを選択すると、その検査プロトコルで使用すべき医薬品、カテーテル、及びデバイスの各名称が分かることになる。また、各名称に係る物の詳細は図９、図１０、及び図１２に示される情報により判断することが可能であり、検査オペレータはこれらの情報に従って検査を進行すればよいことになる。
【０１００】
前記外部Ｉ／Ｆ２１７を介して外部に送信される医薬品情報としてはこれらの情報が該当することになる。なお、上記各テーブルは必要に応じて適宜、追加、修正、又は削除をできるようにしてもよい。
【０１０１】
ところで、医薬品２２５が前記送信情報を有する場合、特に、前記検査用設定データに基づいて実際に行われた検査に係る当該医薬品２２５について各情報を有する場合、これらの情報は（医薬品２２５が出力する機能を有する限りにおいて）医薬品用Ｉ／Ｆ２２４を介してＣＰＵ２１２に送られる。ＣＰＵ２１２に送られた情報はＣＰＵ２１２の内部やデータベース２１４に一時的又はある程度長期に渡って保持（保存）される。また、ＣＰＵ２１２の内部やデータベース２１４に保持されない場合も、外部Ｉ／Ｆ２１７に含まれる送信バッファにおいて一時的に保持された後、外部装置への送信が行われることになる。なお、医薬品用Ｉ／Ｆ２２４を介して得られる情報は必ずしもＣＰＵ２１２を介する必要はなく、医薬品用Ｉ／Ｆ２２４を介して直接、データベース２１４での保持や外部Ｉ／Ｆ２１７への送信が行われるようにしてもよい。このようにして、実際に使用された医薬品２２５についての各情報を外部装置に送信することが可能になる。
【０１０２】
いずれの場合も、使用された（或いは使用されたはずである）医薬品２２５についての情報は、被検体の識別情報及び当該画像収集に係る検査識別情報、医薬品２２５を使用した時刻（時間）情報、さらに各画像の収集時刻を表す情報等と共に、外部Ｉ／Ｆ２１７を介してネットワーク１９上に送信され、この送信情報はレポートシステム１８にて受信される。
【０１０３】
さて、レポートシステム１８ではカテーテル２２３や医薬品２２５等の情報をＸ線診断装置１１ｆから受け取るとその受信情報がレポートシステム１８のデータベースに自動的に仮登録される。当該検査の終了後、レポートシステム１８のレポート作成装置を用いて操作者（例えば読影者）が予め又はレポート作成時に仮登録の内容を確認することにより問題なければ確定の入力がなされる。これにより、当該検査において使用されたカテーテル２２３に係る情報（カテーテルの種類（識別情報）、そのチューブの直径が何フレンチであるか等のサイズ情報（カテーテルの太さ情報）、及びその本数のうちの１つ以上）、さらに使用された医薬品情報（医薬品の種類（識別情報）及びその使用量）などが時刻情報と共にレポートシステム１８にて登録される。
【０１０４】
レポートシステム１８における検査レポートの作成は、当該検査において収集された医用画像を観察しながら、あるいは観察した結果に基づき行われる。その際、腫瘍などの患部の大きさを正確に把握することは正しいレポート（診断／読影結果）を作成する上で重要な要素の１つとなる。例えば１画素当りの長さを求めるピクセルキャリブレーションにより画像観察装置等の画面上に表示されている画像の所定部（例えば心臓の血管の太さなど）についての長さや腫瘍等の患部の大きさの測定を行うことが可能である。
【０１０５】
本実施の形態によれば、カテーテル２２３についてその名称（名称からその仕様に基づきチューブの直径などの情報は取得可能）又はそのチューブの直径などの情報そのものについてＸ線診断装置１１ｆから送信されて来る。従って、当該カテーテル２２３を含む画像をレポート作成時又は読影時に画像観察用端末装置に或いはレポートシステム１８の表示装置（例えばレポート作成装置のモニタ）に表示すれば、その表示装置の画面上に表示されたカテーテルサイズから他の表示物、すなわち、血管等の所定部位についてのサイズを測定可能せしめる。或いはそのカテーテルサイズを基にピクセルキャリブレーションを行い、より正確な測定を実現することも可能である。
【０１０６】
また、本実施の形態においてはカテーテル２２３や医薬品２２５、さらにはその他の検査に使用されたデバイスについて、その使用時の時刻情報がＸ線診断装置１１ｆから送信される。従って、例えば図１３に示すように検査毎に当該検査中に使用されたカテーテル２２３などの名称を使用時刻順にその使用時刻と共に表示することも可能である。このように医薬品２２５やカテーテル２２３等が使用された順が分かることは読影やレポート作成において有益となる場合が少なくなく、これらの情報を考慮したより好ましいレポートを作成することが可能となる。
【０１０７】
なお、カテーテル２２３や医薬品２２５に係る情報はＸ線診断装置１１ｆから直接レポートシステム１８に対して送信されてもよいし、他の装置（例えば画像サーバ）を経由して送信されるようにしてもよい。
【０１０８】
本実施の形態では外部装置としてレポートシステム１８が接続された場合について説明したが、本実施の形態におけるＸ線診断装置１１ｆからの送信情報は会計システムに対して送信される場合についても有益である。図１４はカテーテル２２３や医薬品２２５等の数量について実際の実施結果を検査プロトコルに対応付けて外部装置に送信する場合の送信情報の一例を示す図である。会計システムではこのような情報を受け取ることにより更に正確な保険点数の計算、患者に対する課金が可能になる。
【０１０９】
以上、本発明の各実施の形態について例示的に説明したが、本発明についてはこれらに限られることはない。例えば、各実施の形態において、データベース２１４に格納された情報は追加、修正、又は削除が可能であってもよい。
【０１１０】
また、データベース２１４に格納された情報については個々に随時呼び出せるようにしてもよい。これにより、上記追加、修正、又は削除の他、その登録内容の確認など、必要に応じて参照できるようになる。この情報の呼び出しは、任意の範囲でできるようにしてもよいし、検査プロトコルや操作者のＩＤ等に基づく許された権限の範囲など、アクセスできる情報に制限を設けるようにしてもよい。
【０１１１】
さらに、本発明の実施の形態として、上記各実施の形態がそれぞれ独立して実施される場合について説明した。しかしながら、本発明はこのような独立実施に限られることはなく、複数の実施の形態に係る構成を有し、複数の実施の形態について行われるようにしてもよいのは言うまでもない。
【０１１２】
なお、装置やシステムの構成、取り扱う情報、その他、本発明の主旨を逸脱しない範囲において、上記に説明した実施の形態以外の形態においても本発明は適用・実施し得るものである。
【０１１３】
以上説明したように、本発明によればＸ線診断装置などによる医用画像の収集に伴って使用が生じる物（造影剤、Ｘ線フィルム、ディスク、カテーテル、医薬品、等）についての従来扱われていなかった補助的な情報について医用画像装置から外部装置へ送信することで、これら送信情報を受けた外部装置では従来操作者等による手入力に頼っていた情報が確実に電子情報として届く。従って、会計計算や在庫管理においては誤入力や入力漏れの回避、操作者の作業負担の軽減、等が図れ、また、レポート作成においてはより正確な読影（診断）やレポート作成が行えるという効果を奏する。
【０１１４】
【発明の効果】
本発明によれば、医用画像装置が有する補助的な情報を他の装置が共有することが可能となり、当該他の装置において正しい情報に基づく情報処理が可能となる。
【図面の簡単な説明】
【図１】本発明に係る医用システムの概略構成を示すブロック図。
【図２】本発明の第１の実施の形態に係るＸ線診断装置等の構成を示すブロック図。
【図３】本発明の第２の実施の形態に係るＸ線診断装置等の構成を示すブロック図。
【図４】本発明の第３の実施の形態に係るＸ線診断装置等の構成を示すブロック図。
【図５】本発明の第４の実施の形態に係るＸ線診断装置等の構成を示すブロック図。
【図６】本発明の第５の実施の形態に係るＸ線診断装置等の構成を示すブロック図。
【図７】本発明の第６の実施の形態に係るＸ線診断装置等の構成を示すブロック図。
【図８】本発明の第７の実施の形態に係るＸ線診断装置等の構成を示すブロック図。
【図９】カテーテル名称テーブルの一例を示す図。
【図１０】デバイス名称テーブルの一例を示す図。
【図１１】医薬品名称、カテーテル名称、及びデバイス名称と共に検査プロトコルを対応付けるテーブルの一例を示す図。
【図１２】医薬品名称テーブルの一例を示す図。
【図１３】検査中に使用されたカテーテルや医薬品の使用時刻を表示する一例を示す図。
【図１４】カテーテルや医薬品等の数量について実際の実施結果を検査プロトコルに対応付けて外部装置に送信する場合の送信情報の一例を示す図。
【符号の説明】
１０・・・病院情報システム
１１，１１ａ，１１ｂ，１１ｃ，１１ｄ，１１ｅ，１１ｆ・・・Ｘ線診断装置
１２・・・Ｘ線ＣＴ装置
１３・・・ＭＲＩ装置
１８・・・レポートシステム
１０１・・・会計システム
１０２・・・在庫管理システム
２１２・・・ＣＰＵ
２１４・・・データベース
２１５・・・インジェクタ用インターフェース
２１６・・・インジェクタ
２１７・・・外部インターフェース
２１８・・・自動現像装置用インターフェース
２１９・・・自動現像装置
２２０・・・ディスクドライブ
２２１・・・ディスク
２２２・・・カテーテル用インターフェース
２２３・・・カテーテル
２２４・・・医薬品用インターフェース
２２５・・・医薬品
【図１】
2004258833.tif 000003
【図２】
2004258833.tif 000004
【図３】
2004258833.tif 000005
【図４】
2004258833.tif 000006
【図５】
2004258833.tif 000007
【図６】
2004258833.tif 000008
【図７】
2004258833.tif 000009
【図８】
2004258833.tif 000010
【図９】
2004258833.tif 000011
【図１０】
2004258833.tif 000012
【図１１】
2004258833.tif 000013
【図１２】
2004258833.tif 000014
【図１３】
2004258833.tif 000015
【図１４】
2004258833.tif 000016